(57)【要約】【課題】無駄な捨て材を発生させず、かつ、安価に製造できる包装袋を提供する。【解決手段】１枚の合成樹脂製矩形状シート片１が複数箇所の横方向折曲線１８，１９，２０で折り曲げられた折曲部１０が上端縁部１Ａに形成され、かつ、左右両端縁部が溶着され、シート片１の表て側シート端部１６と裏側シート端部１７によって、被包装物を入れるための開口部３が下端縁部１Ｃに形成され、表て側シート端部１６と裏側シート端部１７の少なくとも一方が、山折り線２１及び谷折り線２２で折り曲げられ、下端縁部１Ｃに底襠部３０が形成されている。【選択図】図２
2015227201.tif 000002
【特許請求の範囲】
【請求項１】
１枚の合成樹脂製矩形状シート片（１）が複数箇所の横方向折曲線（１８）（１９）（２０）で折り曲げられた折曲部（１０）が上端縁部（１Ａ）に形成され、かつ、左右両端縁部（１Ｂ）（１Ｂ）が溶着され、上記シート片（１）の表て側シート端部（１６）と裏側シート端部（１７）によって、被包装物（Ｚ）を入れるための開口部（３）が下端縁部（１Ｃ）に形成され、
上記表て側シート端部（１６）と上記裏側シート端部（１７）の少なくとも一方が、山折り線（２１）及び谷折り線（２２）で折り曲げられ、上記下端縁部（１Ｃ）に底襠部（３０）が形成されていることを特徴とする包装袋。
【請求項２】
上記折曲部（１０）は、縦断面Ｍ字状を成す第１シート層（１１）・第２シート層（１２）・第３シート層（１３）・第４シート層（１４）を順次有し、第１シート層（１１）と第２シート層（１２）を溶着すると共に第３シート層（１３）と第４シート層（１４）を溶着し、さらに、上記第２シート層（１２）と上記第３シート層（１３）の間の谷折り状折曲線（１９）に沿って上記第２シート層（１２）と上記第３シート層（１３）を切離可能な破断予定線部（５）が形成されている請求項１記載の包装袋。
【請求項３】
上記下端縁部（１Ｃ）では、上記開口部（３）の開口端縁部（３Ａ）が、上記山折り線（２１）より下方位置まで延伸状である請求項１又は２記載の包装袋。
【請求項４】
上記第２シート層（１２）と上記第３シート層（１３）を相互に密封可能なファスナー（４）が付設され、該ファスナー（４）より袋内方寄りに上記破断予定線部（５）が配設されている請求項２記載の包装袋。
【発明の詳細な説明】
【技術分野】
【０００１】
本発明は、包装袋に関する。
【背景技術】
【０００２】
従来、底部にガゼット部を設け、ガゼット部が拡がることで、袋内部の容積が増大し、物をたくさん収容できるように構成された包装袋が知られている（特許文献１参照）。
【先行技術文献】
【特許文献】
【０００３】
【特許文献１】特開２００９−１８８１４号公報
【発明の概要】
【発明が解決しようとする課題】
【０００４】
特許文献１記載の包装袋は、表裏のシートを重ね合わせた状態の上端縁部が溶着により密封され、開封する際に、ノッチを起点として上端縁部の一部を切り取って開口部を形成するものであった。なお、開封後は、ファスナーを用いて表裏のシートを相互に密封して開口部を開閉できるようにしたものである。
しかし、切り取られた上端縁部の帯状切れ端が捨て材となり、無駄なゴミが発生するという欠点があった。また、開封する際、手で上端縁部の一部を裂いて切断する為、切断面が非直線状になることが多く、開封後にファスナーで密閉して使用するとしても、体裁が悪かった。
【０００５】
また、特許文献１記載の包装袋は、複数枚のシート片をもって構成されており、下端縁部の内側に、ガゼット部を形成する小さなシート片を溶着によって取付ける作業が至難であった。従って、製造に係る作業が煩雑となり、コストが増大するという欠点があった。
【０００６】
そこで、本発明は、無駄な捨て材を発生させず、かつ、安価に製造できる包装袋を提供することを目的とする。
【課題を解決するための手段】
【０００７】
本発明に係る包装袋は、１枚の合成樹脂製矩形状シート片が複数箇所の横方向折曲線で折り曲げられた折曲部が上端縁部に形成され、かつ、左右両端縁部が溶着され、上記シート片の表て側シート端部と裏側シート端部によって、被包装物を入れるための開口部が下端縁部に形成され、上記表て側シート端部と上記裏側シート端部の少なくとも一方が、山折り線及び谷折り線で折り曲げられ、上記下端縁部に底襠部が形成されているものである。
【０００８】
また、上記折曲部は、縦断面Ｍ字状を成す第１シート層・第２シート層・第３シート層・第４シート層を順次有し、第１シート層と第２シート層を溶着すると共に第３シート層と第４シート層を溶着し、さらに、上記第２シート層と上記第３シート層の間の谷折り状折曲線に沿って上記第２シート層と上記第３シート層を切離可能な破断予定線部が形成されているものである。
また、上記下端縁部では、上記開口部の開口端縁部が、上記山折り線より下方位置まで延伸状であるものである。
また、上記第２シート層と上記第３シート層を相互に密封可能なファスナーが付設され、該ファスナーより袋内方寄りに上記破断予定線部が配設されているものである。
【発明の効果】
【０００９】
本発明の包装袋によれば、底襠部が拡がることにより立体的な袋形状となり、内容量が増大し、たくさんの被包装物を収容でき、かつ、テーブル等に安定姿勢で立てることができる。上端縁部を切り取ることなくシート片を破って開封でき、捨て材を発生させることがなく、かつ、開封後も体裁良く使用できる。また、底襠部が設けられた構造であるにも関わらず、安価に製造できる。上端縁部の強度が確保され、取り扱いが至便である。
【図面の簡単な説明】
【００１０】
【図１】本発明の実施の一形態を示した正面図である。
【図２】本発明の実施の一形態を示した縦断面図である。
【図３】本発明の他の実施形態を示した縦断面図である。
【図４】本発明の別の実施形態を示した正面図である。
【図５】下端縁部を溶着して密封する使用状態の拡大断面図である。
【発明を実施するための形態】
【００１１】
以下、実施の形態を示す図面に基づき本発明を詳説する。
図１と図２に示すように、本発明の包装袋は、１枚の合成樹脂製矩形状シート片１が複数箇所の横方向折曲線１８，１９，２０で折り曲げられた折曲部１０が上端縁部１Ａに形成されている。具体的には、２箇所の山折り状折曲線１８，２０及び１箇所の谷折り状折曲線１９でシート片１が折曲げられることにより、折曲部１０は、縦断面Ｍ字状を成す第１シート層１１・第２シート層１２・第３シート層１３・第４シート層１４を順次有する構造となっている。折曲部１０では、第１シート層１１と第２シート層１２を溶着すると共に第３シート層１３と第４シート層１４を溶着し、さらに、第２シート層１２と第３シート層１３の間の谷折り状折曲線１９に沿って第２シート層１２と第３シート層１３を切離可能な破断予定線部５が形成されている。
【００１２】
折曲部１０が上端縁部１Ａに形成された状態で、左右両端縁部１Ｂ，１Ｂが溶着され、シート片１の表て側シート端部１６と裏側シート端部１７によって、被包装物Ｚを入れるための開口部３が下端縁部１Ｃに形成されている。こうして、１枚の合成樹脂製矩形状シート片１をもって包装袋本体６が形成されている。即ち、包装袋本体６が、１枚のシート片１の折り曲げと、シート片１どうしの少数箇所の溶着によって形成されるため、製造が容易であり、安価に製造できる利点がある。なお、包装袋本体６は、折曲部１０を有する上端縁部１Ａが開封予定個所となり、折曲部１０には、後述のファスナー４（及びスライダー８）が付設される。開口部３は、被包装物Ｚを入れた後、溶着によって密封される。
シート片１は、ポリエチレンやポリプロピレン等のポリオレフィン樹脂を使用することができる。ＰＥＴ樹脂あるいはナイロン等を用いても良い。被包装物Ｚとしては、食料品や薬品、サプリメント、ペットフード、あるいは、化粧品や雑貨等の小物類が挙げられる。本発明に於て、「溶着」とは、熱と押圧力を加えることにより、接着剤を用いずに、樹脂を相互に接合する加工であり、「熱圧着」あるいは「熱溶着」と言い換えることもできる。
【００１３】
図２では、シート片１の表て側シート端部１６と裏側シート端部１７の（少なくとも）一方が、山折り線２１及び谷折り線２２で折り曲げられ、下端縁部１Ｃに底襠部３０が形成されている。
底襠部３０は、山折り線２１及び谷折り線２２が拡開して、袋の厚みが増し、袋内部の容積を増大させるように構成されている。即ち、底襠部３０は、「ガゼット部」と言い換えることもでき、底襠部３０が拡がることで袋形状が立体的となり、内部に被包装物Ｚをたくさん収容できる利点がある。
【００１４】
下端縁部１Ｃでは、開口部３の開口端縁部３Ａが、山折り線２１より下方位置まで延伸状に形成されている。
表て側シート端部１６の山折り線２１と開口部３の開口端縁部３Ａは、その上下位置が相違しており、両者の間には（上下方向の）段差Ｓが設けられている。この構成により、図５に示すように、一対の溶着手段２５，２５によって表て側シート端部１６と裏側シート端部１７を挟みながら溶着する際、開口部３近傍に集中的に熱と押圧力を加えて、密封することができる。即ち、表て側シート端部１６と裏側シート端部１７の溶着が容易となり、開口部３を密封する作業を簡略化できる。
【００１５】
第２シート層１２と第３シート層１３を相互に密封可能なファスナー４が付設され、ファスナー４より袋内方寄りに破断予定線部５が配設されている。
ファスナー４は、凸部を有するチャックテープ雄部と、凸部が嵌合する凹部を有するチャックテープ雌部と、から成り、チャックテープ雄部とチャックテープ雌部が共に第２シート層１２及び第３シート層１３の山折り状折曲線１８，２０近傍の内側面に、凸部と凹部を対向させるように溶着されている。ファスナー４は、折曲部１０の外面（第１シート層１１と第４シート層１４）を外側から指で押さえ、チャックテープ雄部とチャックテープ雌部を互いに押し付ければ、凸部と凹部を嵌合させることができ、第２シート層１２と第３シート層１３を連結して密封するものである。逆に、第１シート層１１と第２シート層１２の山折り状折曲線１８付近、及び、第３シート層１３と第４シート層１４の山折り状折曲線２０付近を指で掴んで開くように引っ張れば、凸部と凹部の嵌合を解除して、ファスナー４を開くことができる。
【００１６】
上端縁部１Ａの折曲部１０に於て、第１シート層１１と第２シート層１２が谷折り状折曲線１９の近傍で溶着されて、左右方向に細長い帯状の溶着部１５が形成されている。また、第３シート層１３と第４シート層１４が谷折り状折曲線１９の近傍で溶着されて、左右方向に細長い帯状の溶着部１５が形成されている。
破断予定線部５では、シート片１の厚さ寸法の１／３の深さ寸法のＶ字状溝が、谷折り状折曲線１９に沿って直線状に形成されることによって、シート片１の他の箇所よりも破れ易くなっている。なお、破断予定線部５としては、ハーフカット溝又はミシン目を形成するも好ましい。
【００１７】
図３は、本発明の他の実施形態を示している。
図３では、シート片１の表て側シート端部１６と裏側シート端部１７の両方が、山折り線２１及び谷折り線２２で折り曲げられ、下端縁部１Ｃに底襠部３０が形成されている。
表て側シート端部１６と裏側シート端部１７の両方が折り曲げられることで、底襠部３０が大きく拡がって袋内部の容積を大幅に増大させることができ、内部に被包装物Ｚをより一層多く収容できる。
【００１８】
次に、本発明の別の実施形態について説明する。
図４に示すように、折曲部１０に、ファスナー４を開閉するためのスライダー８が付設されている。
スライダー８は、２つのプラスチック製部品から成り、一方の部品がファスナー４を開くための役割であり、他方の部品がファスナー４を閉じるための役割である。スライダー８は、２つの部品を組み合わせた構造として、ファスナー４に取り付け易いように構成されている。図４に於て、ファスナー４より袋内方寄りに破断予定線部５が設けられているため、開封前と開封後にスライダー８が影響を受けることはない。例えば、従来の包装袋では、上端縁部の一部を切り取るので、スライダーを設けることができない、又は、開封してからスライダーを後付けするかのどちらかであったが、スライダーを後付けした場合には、切断面がガタガタ（非直線状）で、スムーズにスライダーを走行させることが困難であった。これに対し、本発明によれば、開封前から折曲部１０にスライダー８を付けておくことが可能で、かつ、開封前も開封後もスライダー８によってファスナー４を容易に開閉することができる。
図４に於て、ファスナー４が山折り状折曲線１８，２０により近い位置に取着されている。その他の構成は、上述の実施形態と同様である。
【００１９】
上述した本発明の包装袋の使用方法（作用）について説明する。
開口部３が下端縁部１Ｃに形成されているので、袋内部への被包装物Ｚの充填は、開口部３から行われる。この際、上端縁部１Ａの谷折り状折曲線１９を破ることなく破断予定線部５を残したままにする。開口部３から被包装物Ｚを差し入れて収容した後、図５に示すように、下端縁部１Ｃの開口部３を溶着して密封し、開封前密封状態とする。この際、表て側シート端部１６と裏側シート端部１７を２枚重ね合わせた状態で、溶着手段２５，２５により挟み込み、熱と押圧力を加えて溶着する。開封前密封状態では、袋内部に収容した被包装物Ｚを湿気から守り、若しくは、乾燥を防止し、衛生的に保護する。袋内部に被包装物Ｚが収容されることで、底襠部３０が拡がって、袋形状が立体的となり、袋内部の容積が大きくなる。従って、底襠部３０が設けられていないものに比べると、袋内部に多くの被包装物Ｚを収容することができる。
【００２０】
次に、図示省略するが、上端縁部１Ａの山折り状折曲線１８，２０を引っ張ってファスナー４を開いて、折曲部１０（第２シート層１２と第３シート層１３）を大きく拡開させると、破断予定線部５（谷折り状折曲線１９）に沿って第２シート層１２と第３シート層１３が切り離されて開封状態となり、被包装物Ｚの取り出しが可能となる。第１シート層１１と第２シート層１２が（破断予定線部５近傍の溶着部１５にて）溶着され、かつ、第３シート層１３と第４シート層１４が（破断予定線部５近傍の溶着部１５にて）溶着されている為、被包装物Ｚの取り出しの際、第１シート層１１と第２シート層１２の間や、第３シート層１３と第４シート層１４の間に、被包装物Ｚが浸入するのを防止でき、被包装物Ｚが第２シート層１２と第３シート層１３に引っ掛かって取り出し辛くなることもない。一旦、開封状態とした後は、気密性は開封前ほど高くはないが、ファスナー４を閉じて準密封状態とすることができる。
【００２１】
本発明の包装袋の製造方法について簡単に説明する。
合成樹脂製の原反シートを連続して送りながら、原反シートの表て面にファスナー４を取着する。なお、この前工程で、原反シートの表て面には、既に各種の文字・図形・記号・絵柄等の印刷が施されている。次に、原反シートの表て面に熱した刃を当てて、Ｖ字溝を形成する。このＶ字溝をもって破断予定線部５を形成する。次に、原反シートを中間位置で２箇所の山折り状折曲線１８，２０及び１箇所の谷折り状折曲線１９で折り曲げると共に、原反シートの端部の（少なくとも）一方を山折り線２１及び谷折り線２２で折り曲げる。ここまでの工程は、原反シートを連続して送りながら行う。即ち、後に底襠部３０になると見込まれる箇所（山折り線２１及び谷折り線２２で折り曲げられたシートの端部）は、溶着する必要がなく、１枚の原反シートを折り曲げることで形成でき、それ故に、原反シートを連続して送りながら形成することができるので、製造の能率が良く、コストを低く抑えることができるのである。
【００２２】
上述のように原反シートを複数箇所で折り曲げた状態から、原反シートを間欠的に送りつつ、原反シートの一端縁部にて第１シート層１１と第２シート層１２を溶着し、かつ、第３シート層１３と第４シート層１４を溶着して、折曲部１０を形成する。そして、原反シートの幅方向に沿って溶着部を形成し、この溶着部の中間位置で原反シートを切断する。このようにして、本発明の包装袋が製造される。
【００２３】
なお、本発明は、設計変更可能であって、例えば、スライダー８は、上述の構成に限定されるものではなく、変更が可能である。
【００２４】
以上のように、本発明に係る包装袋は、１枚の合成樹脂製矩形状シート片１が複数箇所の横方向折曲線１８，１９，２０で折り曲げられた折曲部１０が上端縁部１Ａに形成され、かつ、左右両端縁部１Ｂ，１Ｂが溶着され、シート片１の表て側シート端部１６と裏側シート端部１７によって、被包装物Ｚを入れるための開口部３が下端縁部１Ｃに形成され、表て側シート端部１６と裏側シート端部１７の少なくとも一方が、山折り線２１及び谷折り線２２で折り曲げられ、下端縁部１Ｃに底襠部３０が形成されているので、底襠部３０が拡がることにより立体的な袋形状となり、内容量が増大し、たくさんの被包装物Ｚを収容でき、安定してテーブル等に立てることができる。上端縁部１Ａを切り取ることなくシート片１を破って開封でき、捨て材を発生させることがなく、かつ、開封後も体裁良く使用できる。また、底襠部３０が設けられた構造であるにも関わらず、安価に製造できる。上端縁部１Ａの強度が確保され、使い勝手が良い。
【００２５】
また、折曲部１０は、縦断面Ｍ字状を成す第１シート層１１・第２シート層１２・第３シート層１３・第４シート層１４を順次有し、第１シート層１１と第２シート層１２を溶着すると共に第３シート層１３と第４シート層１４を溶着し、さらに、第２シート層１２と第３シート層１３の間の谷折り状折曲線１９に沿って第２シート層１２と第３シート層１３を切離可能な破断予定線部５が形成されているので、谷折り状折曲線１９に沿って破断予定線部５でシート片１を破って開封することができ、捨て材を発生させることがなく、かつ、開封後も体裁良く使用できる。被包装物Ｚの取り出しの際、第１シート層１１と第２シート層１２の間や、第３シート層１３と第４シート層１４の間に、被包装物Ｚが浸入するのを防止できる。上端縁部１Ａの強度が確保され、開封や被包装物Ｚの取り出しが容易に行える。
【００２６】
また、下端縁部１Ｃでは、開口部３の開口端縁部３Ａが、山折り線２１より下方位置まで延伸状であるので、表て側シート端部１６と裏側シート端部１７を溶着する際、開口部３近傍に集中的に熱と押圧力を加えて、容易に密封することができる。開口部３を密封する作業を簡略化できる。
【００２７】
また、第２シート層１２と第３シート層１３を相互に密封可能なファスナー４が付設され、ファスナー４より袋内方寄りに破断予定線部５が配設されているので、開封前から折曲部１０にスライダー８を付けておくことができ、かつ、開封前も開封後もスライダー８によってファスナー４を容易に開閉できる。破断予定線部５でシート片１を破って開封でき、開封後も体裁良く使用でき、特に、ファスナー４にて密封状として使用できて、好都合である。
【符号の説明】
【００２８】
１  シート片
１Ａ  上端縁部
１Ｂ  左右両端縁部
１Ｃ  下端縁部
３  開口部
３Ａ  開口端縁部
４  ファスナー
５  破断予定線部
１０  折曲部
１１  第１シート層
１２  第２シート層
１３  第３シート層
１４  第４シート層
１６  表て側シート端部
１７  裏側シート端部
１８  折曲線
１９  折曲線
２０  折曲線
２１  山折り線
２２  谷折り線
３０  底襠部
Ｚ  被包装物
【図１】
2015227201.tif 000003
【図２】
2015227201.tif 000004
【図３】
2015227201.tif 000005
【図４】
2015227201.tif 000006
【図５】
2015227201.tif 000007